(57)【要約】【課題】  ベッドから離れた患者に発生した異常を検知してナースコール親機に通知できるナースコールシステムを提供する。【解決手段】  患者がＩＤ信号を発信する無線送信機５を携行し、病院内の夫々異なる特定エリアに複数の無線受信機６，６・・を設置し、制御機４にＩＤ信号と受信場所とを記憶した制御機記憶部１５を設けた。無線受信機６が所定時間に亘り同一のＩＤ信号を受信し続けたら患者異常検知信号を制御機４に送信し、制御機４はその信号を受けて制御機記憶部１５に記憶された有効／無効の設定を読み出し、有効である場合はナースコール親機３に異常を通知し、ナースコール親機３に報知動作をさせた。【選択図】  図１
2009028444.tif 000002
【特許請求の範囲】
【請求項１】
病室のベッド毎に設置されて看護師を呼び出すためのナースコール子機と、前記ナースコール子機から呼び出しが発生したことを表示する廊下灯と、ナースステーションに設置されて前記ナースコール子機からの呼び出しに応答するためのナースコール親機と、前記廊下灯と前記ナースコール親機との間の通信を制御する制御機とを備えたナースコールシステムであって、
患者が携行して患者のＩＤ信号を発信する無線送信機と、
病院内で夫々異なる特定のエリアにおいて前記無線送信機の発信信号を受信する複数の無線受信機とを備える一方、
前記無線受信機が受信するＩＤ信号の受信場所及び受信時間を管理するＩＤ情報管理手段と、前記ＩＤ情報管理手段が所定の条件を満たすＩＤ信号を検出した場合に、前記ナースコール親機において異常発生を報知させる通報制御手段とを有することを特徴とするナースコールシステム。
【請求項２】
前記ＩＤ情報管理手段は、所定時間に亘り同一場所で同一ＩＤ信号を受信し続けた場合に、受信ＩＤ情報及び受信場所情報を含む患者異常検知信号を前記通報制御手段に送出し、
前記通報制御手段は、前記患者異常検知信号を受けて当該信号に含まれるＩＤ信号を基に異常を検知した患者情報を前記ナースコール親機の表示部に表示制御すると共に報知制御することを特徴とする請求項１記載のナースコールシステム。
【請求項３】
ＩＤ信号受信場所毎の前記患者異常検知信号の有効／無効を登録したＩＤマップ記憶部を有し、
前記通報制御手段は、有効と登録されたエリアからの前記患者異常検知信号に対しては異常検知を通知し、無効と登録されたエリアからの前記患者異常検知信号は無視することを特徴とする請求項２記載のナースコールシステム。
【請求項４】
前記ＩＤ情報管理手段は、受信ＩＤ信号から個々のＩＤ信号の受信間隔を認識し、最後に受信から所定の時間が経過しても同一信号を受信しない場合に、患者不明信号を前記通報制御手段に送出し、
前記通報制御手段は、前記患者不明信号を受けて前記ナースコール親機に不在患者情報を表示制御すると共に報知制御することを特徴とする請求項１記載のナースコールシステム。
【請求項５】
患者の不在判定を病院内の所定のエリアに対して実施するエリア記憶部を有し、
前記ＩＤ情報管理手段は、個々のＩＤ信号に対して前記エリア記憶部を参照し、設定エリア内でＩＤ信号が受信されない場合に前記患者不明信号を送信することを特徴とする請求項４記載のナースコールシステム。
【請求項６】
前記無線送信機及び前記無線受信機がＲＦＩＤで構成されることを特徴とする請求項１乃至５の何れかに記載のナースコールシステム。
【発明の詳細な説明】
【技術分野】
【０００１】
本発明はナースコールシステムに関し、詳しくはベッドから離れた患者に問題が発生した場合に、それを検知して看護師に報知する機能を備えたナースコールシステムに関する。
【背景技術】
【０００２】
ナースコールシステムにおいて、ベッドから離れた患者に対して問題発生を検知する構成として、徘徊者検知機能を備えたものがある。例えば、特許文献１に記載されたナースコールシステムは、患者に無線ペンダントを携行させると共に、各廊下灯を無線基地局とし、無線ペンダントの位置を廊下灯の受信エリアの範囲で把握可能とすることで、徘徊者の位置を検知できるようにし、スムーズな看護活動を可能としている。
【特許文献１】特開２００２−９９５７号公報
【発明の開示】
【発明が解決しようとする課題】
【０００３】
しかしながら、上記特許文献１の構成は徘徊する患者の居場所を把握することは可能であるが、病院の外や病院の所定のエリアから外へ出かけてしまい通信が途絶えてしまった場合にそれを通知することはできず、所定エリアから出て行った場合にそれを検知するためには新たな装置が必要であった。
また、居場所を把握することができても、その患者が出かけた先で発作等により動けなくなったり、トイレ等の人目に触れにくい場所で動けなくなった場合にそれを検知することはできなかった。
【０００４】
そこで、本発明はこのような問題点に鑑み、患者の異常を検知したり、徘徊等で所定エリア外に出て行ってしまった患者を検知できるナースコールシステムを提供することを目的としている。
【課題を解決するための手段】
【０００５】
上記課題を解決する為に、請求項１の発明は、病室のベッド毎に設置されて看護師を呼び出すためのナースコール子機と、前記ナースコール子機から呼び出しが発生したことを表示する廊下灯と、ナースステーションに設置されてナースコール子機からの呼び出しに応答するためのナースコール親機と、廊下灯とナースコール親機との間の通信を制御する制御機とを備えたナースコールシステムであって、患者が携行して患者のＩＤ信号を発信する無線送信機と、病院内で夫々異なる特定のエリアにおいて無線送信機の発信信号を受信する複数の無線受信機とを備える一方、無線受信機が受信するＩＤ信号の受信場所及び受信時間を管理するＩＤ情報管理手段と、ＩＤ情報管理手段が所定の条件を満たすＩＤ信号を検出した場合に、ナースコール親機において異常発生を報知させる通報制御手段とを有することを特徴とする。
この構成によれば、受信するＩＤ信号の受信場所及び時間を管理することで、場所情報から動かなくなった患者を検知することが可能となるし、所定のエリアからいなくなった或いは所在不明になった患者を検知することが可能となる。よって、患者に優しく、看護師の負担を軽減できるナースコールシステムを提供することができる。
【０００６】
請求項２の発明は、請求項１に記載の発明において、ＩＤ情報管理手段は、所定時間に亘り同一場所で同一ＩＤ信号を受信し続けた場合に、受信ＩＤ情報及び受信場所情報を含む患者異常検知信号を通報制御手段に送出し、通報制御手段は、患者異常検知信号を受けて当該信号に含まれるＩＤ信号を基に異常を検知した患者情報をナースコール親機の表示部に表示制御すると共に報知制御することを特徴とする。
この構成によれば、病院内において、トイレ等で患者が倒れる等の不測の事態が発生しても速やかに対応することが可能となる。
【０００７】
請求項３の発明は、請求項２に記載の発明において、ＩＤ信号受信場所毎の患者異常検知信号の有効／無効を登録したＩＤマップ記憶部を有し、通報制御手段は、有効と登録されたエリアからの患者異常検知信号に対しては異常検知を通知し、無効と登録されたエリアからの患者異常検知信号は無視することを特徴とする。
この構成によれば、個々の患者の病室や長時間居続けるようなエリアに対しては、所定時間に亘り患者が居続けた場合でも、それを異常発生と通知しないよう設定できる。よって、誤報の少ないシステムを提供できる。
【０００８】
請求項４の発明は、請求項１に記載の発明において、ＩＤ情報管理手段は、受信ＩＤ信号から個々のＩＤ信号の受信間隔を認識し、最後に受信から所定の時間が経過しても同一信号を受信しない場合に、患者不明信号を通報制御手段に送出し、通報制御手段は、患者不明信号を受けてナースコール親機に不在患者情報を表示制御すると共に報知制御することを特徴とする。
この構成によれば、病院内或いは病院内の所定エリアにいない患者を検知することができる。よって、徘徊者等に無線送信機を携帯させることで、病院から出て行った場合等を速やかに検知でき、遠くへ出かけてしまう前に対処することが可能となる。
【０００９】
請求項５の発明は、請求項４に記載の発明において、患者の不在判定を病院内の所定のエリアに対して実施するエリア記憶部を有し、ＩＤ情報管理手段は、個々のＩＤ信号に対してエリア記憶部を参照し、設定エリア内でＩＤ信号が受信されない場合に患者不明信号を送信することを特徴とする。
この構成によれば、病院から出なくても例えば病室のあるフロアから出た場合に報知させることができ、徘徊者に対して早期に対処することができる。
【００１０】
請求項６の発明は、請求項１乃至５の何れかに記載の発明において、無線送信機及び無線受信機がＲＦＩＤで構成されることを特徴とする。
この構成によれば、無線送信機を小型にでき携行し易いし、安価な構成で実施できる。また、発信電波は微弱電波であるため、患者が医療機器を携行していても影響を及ぼすことがない。
【発明の効果】
【００１１】
本発明によれば、受信するＩＤ信号の受信場所及び時間を管理することで、場所情報から動かなくなった患者を検知することが可能となるし、所定のエリアからいなくなった或いは所在不明になった患者を検知することも可能となり、看護師の負担を軽減できる。また、ＲＦＩＤにより所在確認することで安価な構成にできる。
【発明を実施するための最良の形態】
【００１２】
以下、本発明を具体化した実施の形態を、図面に基づいて詳細に説明する。図１は本発明に係るナースコールシステムの一例を示す構成図であり、一部の機器を回路ブロック図で示している。図１において、１，１・・はベッド毎に設置されて看護師を呼び出すためのナースコール子機、２，２・・は患者からの呼び出しを病室前で表示する廊下灯、３は呼び出しに応答するためにナースステーションに設置されたナースコール親機、４は機器間の通信を制御する制御機、５，５・・は患者が携行してＩＤ信号を発信する無線送信機、６，６・・は無線送信機が発信するＩＤ信号を受信する無線受信機である。
【００１３】
そして、ナースコール子機１は病室毎に子機伝送線Ｌ１を介して廊下灯２に接続され、廊下灯２は廊下灯伝送線Ｌ２を介して制御機４に接続され、ナースコール親機３は親機伝送線Ｌ３を介して制御機４に接続されている。
また、無線受信機６は病室毎に設置されると共に、廊下やトイレ等の病室外の所定部位に設置され、無線送信機５を携行した患者が病院内の少なくとも通常移動する可能性のあるエリアであれば何れかの無線受信機６がＩＤ信号を受信できるよう配置されている。そのうち、病室毎に設置された無線受信機６は受信機伝送線Ｌ４を介して廊下灯２に接続され、廊下やトイレ等の病室外に設置された無線受信機６は廊下灯伝送線Ｌ２を介して制御機４に接続されている。
【００１４】
ナースコール子機１は、呼出操作する呼出握りボタン１ａと、マイク及びスピーカを備え、呼出握りボタン１ａのコンセントを備えた壁埋込型子機１ｂとを備えている。また、廊下灯２は、対応する病室の患者情報を表示する患者情報表示部２ａ、呼び出しを表示する表示灯２ｂを備えている。
また、ナースコール親機３はボード型親機であり、患者からの呼び出しに応答するためのハンドセット３ａ、呼出操作した患者を表示する表示部３ｂ、患者情報の一覧を表示する表示ボード３ｃを備えている。
【００１５】
無線送信機５と無線受信機６は、ＲＦＩＤ（Ｒａｄｉｏ  Ｆｒｅｑｕｅｎｃｙ  Ｉｄｅｎｔｉｆｉｃａｔｉｏｎ）で送受信を実施し、無線送信機５にはＲＦＩＤタグ（ＩＣタグ）が内蔵され、無線受信機６にはＲＦＩＤ受信部１０が組み込まれている。このＲＦＩＤ受信部１０は、ＩＤ要求信号を所定間隔で出力し、この要求を受けてＩＣタグが発信したＩＤ信号を受信するよう構成されている。
尚、無線受信機６は、ＲＦＩＤ受信部１０に加えて、タイマ（受信機タイマ）１１、制御機４と通信するためのインターフェース（受信機ＩＦ）１２、無線受信機６を制御するＣＰＵ（受信機ＣＰＵ）１３を備えている。
【００１６】
制御機４は、無線送信機５が送信するＩＤ信号と受信場所（無線受信機設置場所）の関係を記憶した制御機記憶部１５、タイマ（制御機タイマ）１６、制御機を制御するＣＰＵ（制御機ＣＰＵ）１７、各機器との通信を行うためのインターフェース（制御機ＩＦ）１８を備えている。制御機記憶部１５には、図２に示すようなデータベースが記憶されている。このデータベースでは、個々のＩＤ番号に対して受信場所（病室番号や場所名で記載）と通報の有効／無効の設定が成され、ＩＤ信号を受信した無線受信機６が所定の信号を制御機４に送信した場合に、制御機４がその信号を有効と判断して所定の発報制御を実施するか、無効と判断して発報制御を行わないかの設定が記憶されている。
【００１７】
このように構成されたナースコールシステムの動作は以下のようである。但し、ナースコール子機１が操作されて呼び出しが成され、ナースコール親機３で応答操作するナースコールの基本動作は従来と同様であるため説明を省略し、無線送信機５と無線受信機６の動作を中心に、患者に異常が発生した場合の検知動作、徘徊する患者の検知動作について説明する。
【００１８】
先ず、患者に異常が発生した場合の動作を図３のフローチャートを基に説明する。各病室及び廊下等に備えられた無線受信機６は一定間隔でＩＤ信号の読込動作を実施し、無線送信機５を携行した患者が近づいてきたら、その無線送信機５が発信するＩＤ信号を受信する（Ｓ１）。そして、読み取ったＩＤ信号が初めて受信するＩＤ信号である場合に、受信機ＣＰＵ１３の制御により受信機タイマ１１を動作させて所定時間の計時をスタートする。その後、引き続き一定間隔で受信動作がなされて受信ＩＤ信号を確認（Ｓ２）し、前回と同一のＩＤ信号であるか判断（Ｓ３）する。同一であればカウントを継続し、そうでなければカウントを終了する。こうして、同一のＩＤ信号を受信し続けた場合は、受信機タイマ１１がやがてタイムアウトし（Ｓ４）、受信ＩＤ情報を含む患者異常検知信号が制御機４に送信される。
【００１９】
患者異常検知信号を受信した制御機４は、制御機ＣＰＵ１７の制御により受信した信号に含まれるＩＤ信号及び場所情報から、制御機記憶部１５に記憶されている有効／無効情報を読み出し、有効と登録されている場所でＩＤ信号が受信された場合は、ナースコール親機３に警報信号が送信される。警報信号を受信したナースコール親機３は、警報音を鳴動させ（Ｓ５）、警報信号に含まれる患者情報及び場所情報を基に表示部３ｂ等に検知された患者情報及び検知場所情報が表示される。
【００２０】
例えば、図２のデータベースから、制御機４が病室１０１Ａに設置されている無線受信機６からＩＤ番号００２の患者異常検知信号を受信した場合、制御機ＣＰＵ１７は、ＩＤ番号００２に対して病室１０１Ａは有効設定となっていることから、ナースコール親機３に対して警報信号を送信する。また、病室１０１Ａに設置されている無線受信機６からＩＤ番号００３の患者異常検知信号を受信した場合は、無効設定となっているため受信した患者異常検知信号を無効として破棄し、警報信号を送信しない。
【００２１】
このように、病院内において移動しない患者を検知でき、ナースコール親機に通知することができるので、高血圧者や高齢者等の健康状態に不安のある人に無線送信機を携帯させれば、倒れる等の不測の事態を速やかに認識して報知でき、緊急時にスムーズに対応することが可能となる。
また、有効／無効の設定により、個々の患者に対して自分の病室は勿論のこと立ち止まる可能性のある病室やエリアに対しては、所定時間に亘り患者が居続けた場合でも、それを異常発生と通知しないよう設定できるので、誤報の少ないシステムを提供できる。
更に、ＲＦＩＤを使用することで、無線送信機を小型にでき携行し易いし、安価な構成で実施できる。そして、発信電波は微弱電波であるため、患者が医療機器を携行していても影響を及ぼすことがない。
【００２２】
次に、患者が徘徊を始めた場合について、その検知動作を図４のフローチャートを基に説明する。上記異常検知と同様に、無線受信機６は一定間隔で受信動作が成され、患者が近づいてきたら携行されている無線送信機５のＩＤ信号を受信する。そして、ＩＤ信号を受信したら、場所情報と受信ＩＤ情報を含む所在確認信号を制御機４に送信する。
【００２３】
制御機４は、受信した所在確認信号が制御機記憶部１５に予め登録されているＩＤ信号を含む信号であれば、受信する毎に受信時刻を記憶して制御機タイマ１６により所定時間の計時をスタートさせる。そして、この制御機タイマ１６のカウントアウトを判断（Ｓ１１）する。カウントアウトする前に、何れかの無線受信機６から同一ＩＤの受信信号を入手したら（Ｓ１３）、制御機タイマ１６はリセットされて新たなカウントをスタートする（Ｓ１４）。
【００２４】
そして、制御機タイマ１６が所定時間の計時を完了してカウントアウトしたら、即ち、所定時間の間、タイマカウントをスタートした特定のＩＤ信号が一度も受信されなかったら、制御機ＣＰＵ１７は患者不明信号をナースコール親機３に送信し、ナースコール親機３に警報音を鳴動させる（Ｓ１２）と共に、ＩＤ信号に対応する患者の所在が不明である旨を表示部３ｂ等に表示させる。
【００２５】
このように、患者の所在が不明になったらそれを検知することができるので、徘徊者が病院から出て行った場合等を速やかに認識でき、徘徊者が遠くに出かけてしまう前に対処することが可能となる。
【００２６】
尚、上記徘徊者検知動作では、一定時間に亘り同一のＩＤ信号を受信できない場合の発報動作を、全ての無線受信機が受信しなかった場合、即ち病院から出て行ったような場合に発報して不明と判断するよう制御させているが、一部のエリア、例えば徘徊者の病室のあるフロアから出て他のフロアに行った場合に発報動作するよう構成しても良い。この場合は、各無線送信機５，５・・に対して、有効エリア／無効エリアを設定したマップを作成して、制御機４等に記憶させることで容易に実施でき、こうすれば徘徊者が病院から出てしまう前に検知できるので、徘徊者に対して早期に対処することが可能となる。
【００２７】
また上記実施形態では、患者が動かなくなった場合の判断を無線受信機６に判断させて（ＩＤ信号の受信場所と受信時間を管理するＩＤ情報管理手段を無線受信器６に設けて）いるが、無線受信器６はＩＤ信号の受信のみ実施して徘徊の検知と同様に制御機４で判断させても良い。
更に、上記実施形態では、個々の病室に対して無線受信機６を１台設置した構成を示しているが、各ナースコール子機１に対して無線受信機を設置しても良いし、病室内にトイレや浴室がある場合は、それらの場所にも別途無線受信機６を設置すると良い。
また、無線送信機５と無線受信機６との通信をＲＦＩＤとしているが、無線送信機５を常時発信型とする従来の構成としても良い。
【図面の簡単な説明】
【００２８】
【図１】本発明に係るナースコールシステムの実施形態の一例を示す構成図である。
【図２】制御機記憶部が記憶しているＩＤ信号と受信場所の関係を示す表図である。
【図３】患者の異常を検知する動作の流れを示すフローチャートである。
【図４】患者不明を検知する動作の流れを示すフローチャートである。
【符号の説明】
【００２９】
１・・ナースコール子機、２・・廊下灯、３・・ナースコール親機、３ｂ・・表示部、４・・制御機、５・・無線送信機、６・・無線受信機、１０・・ＲＦＩＤ受信部、１１・・受信機タイマ、１３・・受信機ＣＰＵ（ＩＤ情報管理手段）、１５・・制御機記憶部（ＩＤマップ記憶部、エリア記憶部）、１６・・制御機タイマ、１７・・制御機ＣＰＵ（ＩＤ情報管理手段、通報制御手段）。
【図１】
2009028444.tif 000003
【図２】
2009028444.tif 000004
【図３】
2009028444.tif 000005
【図４】
2009028444.tif 000006